(57)【要約】【課題】降車動作後であっても携帯機の車内への置き忘れを検出でき、特にトランクルームに対する置き忘れを検出可能な電界通信を用いたキーレスエントリー装置を提供する。【解決手段】車両１には、内部表面の所定位置または内部表面に近接した所定位置に置き忘れ検知電極１２が設けられると共に、遮蔽体６の開閉状態を検知して車両側制御部１０に通知する検知部１３が設けられ、車両側制御部１０は、検知部１３から遮蔽体６について開状態から閉状態となったことを通知されたら、車両１内の置き忘れ検知電極１２による携帯機３に対する通信成立の有無を検出し、通信の成立が検出された場合には携帯機３を車内に置き忘れたと判別し、車両１に設けられる機器に所定動作を行わせる。【選択図】図８
2011001711.tif 000002
【特許請求の範囲】
【請求項１】
開閉自在な遮蔽体を備えた車両に設けられる車両側装置と携帯機との間で通信をなすキーレスエントリー装置において、
前記携帯機は、前記車両側装置との間で電界通信を行うための携帯機電極と、認証の通信制御を行う携帯機制御部とを有し、前記車両側装置は、前記携帯機との間で電界通信を行うための車両側電極と、認証の通信制御と前記遮蔽体の施錠解錠動作及び開閉動作の制御を行う車両側制御部とを有し、
前記車両には、前記遮蔽体により開閉される内部表面の所定位置または内部表面に近接した所定位置に置き忘れ検知電極が設けられると共に、前記遮蔽体の開閉状態を検知して前記車両側制御部に通知する検知部が設けられ、
前記車両側制御部は、前記検知部から前記遮蔽体について開状態から閉状態となったことを通知されたら、前記車両内の置き忘れ検知電極による前記携帯機に対する通信成立の有無を検出し、該通信の成立が検出された場合には前記携帯機を車内に置き忘れたと判別し、前記車両に設けられる機器に所定動作を行わせることを特徴とするキーレスエントリー装置。
【請求項２】
前記遮蔽体は車両のトランクドアであり、前記置き忘れ検知電極は車両のトランクルームを構成する床面または床面から埋設された位置に設けられることを特徴とする請求項１記載のキーレスエントリー装置。
【請求項３】
前記置き忘れ検知電極は誘電体シートの内部に設けられ、前記置き忘れ検知電極を有する誘電体シートが前記トランクルームの床面に配置されることを特徴とする請求項２記載のキーレスエントリー装置。
【請求項４】
前記誘電体シートは合成樹脂からなることを特徴とする請求項３記載のキーレスエントリー装置。
【請求項５】
前記置き忘れ検知電極は、前記誘電体シートの一辺と該一辺と対向する他辺にそれぞれ沿って伸びる二本の周縁構成部と、該周縁構成部間を中間位置で連結するように伸びる連結部とからなる略Ｈ字状をなすように形成されることを特徴とする請求項２〜４のいずれか１項に記載のキーレスエントリー装置。
【請求項６】
前記置き忘れ検知電極は、前記誘電体シートの一辺に沿って伸びる周縁構成部と、該周縁構成部から所定間隔おきに該周縁構成部が伸びる方向と異なる方向に向かって伸びる延出部とからなるフォーク状をなすように形成されることを特徴とする請求項２〜４のいずれか１項に記載のキーレスエントリー装置。
【請求項７】
前記置き忘れ検知電極は、前記誘電体シートの四辺にそれぞれ沿う四方向の周縁構成部で枠形状をなすように形成されることを特徴とする請求項２〜４のいずれか１項に記載のキーレスエントリー装置。
【発明の詳細な説明】
【技術分野】
【０００１】
本発明は、車両側装置と携帯機との間で通信を行うことによりドアの施錠、解錠等を行うキーレスエントリー装置に関し、特に携帯機の車内への置き忘れを検出可能なキーレスエントリー装置に関する。
【背景技術】
【０００２】
車のキーレスエントリー装置は、自動車等の車両に車両側装置を設け、運転者が有する携帯機との間で通信を行って、認証が成立した場合にドアの施錠または解錠動作を行うものである。このようなキーレスエントリー装置において、携帯機と車両側装置との間で人体を介した電界通信を用いるものが、従来提案されている。
【０００３】
キーレスエントリー装置においては、携帯機が車内に置き忘れられることを防止する必要がある。このために、従来の電界通信を用いたキーレスエントリー装置においては、運転者が降車したことを検知する検知部を車両に設け、この検知部で運転者が降車したことを検知したときに、携帯機に対して通信が成立したか否かを検出して、通信が成立しなかった場合には置き忘れが生じていると判別していた。このように携帯機の置き忘れを検出するキーレスエントリー装置としては、例えば特許文献１に挙げるようなものがある。
【先行技術文献】
【特許文献】
【０００４】
【特許文献１】特開２００８−５０８９２号公報
【発明の概要】
【発明が解決しようとする課題】
【０００５】
従来の電界通信を用いたキーレスエントリー装置においては、運転者の降車動作を検知して、携帯機の置き忘れの有無を判別するものであったため、例えば運転者が降車動作を行った後に携帯機を車内に入れた場合、例えば携帯機の入ったバックを僅かに開いた窓から車内に入れた場合には、携帯機の置き忘れを検知することはできない。また、車両にはトランクドアを有するトランクルームが設けられるが、トランクルームに携帯機を置き忘れた場合、トランクルームに関しては降車動作という概念がないため、従来のシステムでは携帯機の置き忘れを検出することはできなかった。
【０００６】
本発明は前記課題を鑑みてなされたものであり、降車動作に関わらず携帯機の車内への置き忘れを検出でき、特にトランクルームに対する置き忘れを検出可能な電界通信を用いたキーレスエントリー装置を提供することを目的とする。
【課題を解決するための手段】
【０００７】
前記課題を解決するため、本発明に係るキーレスエントリー装置は、開閉自在な遮蔽体を備えた車両に設けられる車両側装置と携帯機との間で通信をなすキーレスエントリー装置において、
前記携帯機は、前記車両側装置との間で電界通信を行うための携帯機電極と、認証の通信制御を行う携帯機制御部とを有し、前記車両側装置は、前記携帯機との間で電界通信を行うための車両側電極と、認証の通信制御と前記遮蔽体の施錠解錠動作及び開閉動作の制御を行う車両側制御部とを有し、
前記車両には、前記遮蔽体により開閉される内部表面の所定位置または内部表面に近接した所定位置に置き忘れ検知電極が設けられると共に、前記遮蔽体の開閉状態を検知して前記車両側制御部に通知する検知部が設けられ、
前記車両側制御部は、前記検知部から前記遮蔽体について開状態から閉状態となったことを通知されたら、前記車両内の置き忘れ検知電極による前記携帯機に対する通信成立の有無を検出し、該通信の成立が検出された場合には前記携帯機を車内に置き忘れたと判別し、前記車両に設けられる機器に所定動作を行わせることを特徴として構成されている。
【０００８】
また、本発明に係るキーレスエントリー装置において、前記遮蔽体は車両のトランクドアであり、前記置き忘れ検知電極は車両のトランクルームを構成する床面または床面から埋設された位置に設けられることを特徴として構成されている。
【０００９】
さらに、本発明に係るキーレスエントリー装置において、前記置き忘れ検知電極は誘電体シートの内部に設けられ、前記置き忘れ検知電極を有する誘電体シートが前記トランクルームの床面に配置されることを特徴として構成されている。
【００１０】
さらにまた、本発明に係るキーレスエントリー装置において、前記誘電体シートは合成樹脂からなることを特徴として構成されている。
【００１１】
そして、本発明に係るキーレスエントリー装置において、前記置き忘れ検知電極は、前記誘電体シートの一辺と該一辺と対向する他辺にそれぞれ沿って伸びる二本の周縁構成部と、該周縁構成部間を中間位置で連結するように伸びる連結部とからなる略Ｈ字状をなすように形成されることを特徴として構成されている。
【００１２】
また、本発明に係るキーレスエントリー装置において、前記置き忘れ検知電極は、前記誘電体シートの一辺に沿って伸びる周縁構成部と、該周縁構成部から所定間隔おきに該周縁構成部が伸びる方向と異なる方向に向かって伸びる延出部とからなるフォーク状をなすように形成されることを特徴として構成されている。
【００１３】
さらに、本発明に係るキーレスエントリー装置において、前記置き忘れ検知電極は、前記誘電体シートの四辺にそれぞれ沿う四方向の周縁構成部で枠形状をなすように形成されることを特徴として構成されている。
【発明の効果】
【００１４】
本発明に係るキーレスエントリー装置によれば、車両には、内部表面の所定位置または内部表面に近接した所定位置に置き忘れ検知電極が設けられると共に、遮蔽体の開閉状態を検知して車両側制御部に通知する検知部が設けられ、車両側制御部は、検知部から遮蔽体について開状態から閉状態となったことを通知されたら、車両内の置き忘れ検知電極による携帯機に対する通信成立の有無を検出し、通信の成立が検出された場合には携帯機を車内に置き忘れたと判別し、車両に設けられる機器に所定動作を行わせることにより、降車動作を伴わない遮蔽体の開閉においても、携帯機の車内への置き忘れを検出することができ、降車動作に関わらず携帯機の車内への置き忘れを検出することができる。また電界通信において用いる携帯機電極を置き忘れ検知にも利用するので簡単に構成できる。
【００１５】
また、本発明に係るキーレスエントリー装置によれば、遮蔽体は車両のトランクドアであり、置き忘れ検知電極は車両のトランクルームを構成する床面または床面から埋設された位置に設けられることにより、トランクルーム内への携帯機の置き忘れを検出することができる。
【００１６】
さらに、本発明に係るキーレスエントリー装置によれば、置き忘れ検知電極は誘電体シートの内部に設けられ、置き忘れ検知電極を有する誘電体シートがトランクルームの床面に配置されることにより、誘電体シートに置き忘れ検知電極が埋設されているので、電極の腐食を防止することができる。
【００１７】
さらにまた、本発明に係るキーレスエントリー装置によれば、誘電体シートは合成樹脂からなることにより、誘電体シートについてこれを撓ませてトランクルームの形状に容易に合わせることができ、また加工も容易とすることができる。
【００１８】
そして、本発明に係るキーレスエントリー装置によれば、置き忘れ検知電極は、誘電体シートの一辺と該一辺と対向する他辺にそれぞれ沿って伸びる二本の周縁構成部と、周縁構成部間を中間位置で連結するように伸びる連結部とからなる略Ｈ字状をなすように形成されることにより、トランクルームの広い範囲について、携帯機の置き忘れを検出することができる。
【００１９】
また、本発明に係るキーレスエントリー装置によれば、置き忘れ検知電極は、誘電体シートの一辺に沿って伸びる周縁構成部と、周縁構成部から所定間隔おきに該周縁構成部が伸びる方向と異なる方向に向かって伸びる延出部とからなるフォーク状をなすように形成されることにより、トランクルームの広い範囲について、携帯機の置き忘れを検出することができる。
【００２０】
さらに、本発明に係るキーレスエントリー装置によれば、置き忘れ検知電極は、誘電体シートの四辺にそれぞれ沿う四方向の周縁構成部で枠形状をなすように形成されることにより、トランクルームの広い範囲について、携帯機の置き忘れを検出することができる。
【図面の簡単な説明】
【００２１】
【図１】本実施形態におけるキーレスエントリー装置の概要図である。
【図２】携帯機の斜視図である。
【図３】ドアの外側に設けられるドアハンドルについて模式的に示した図である。
【図４】トランクルーム内部の斜視図である。
【図５】誘電体シートの平面図である。
【図６】キーレスエントリー装置のブロック図である。
【図７】誘電体シートとトランクルームの床面との概念的な断面図である。
【図８】携帯機の置き忘れを検知するためのフローチャートである。
【図９】第２の形態の置き忘れ検知電極の平面図である。
【図１０】第３の形態の置き忘れ検知電極の平面図である。
【図１１】第４の形態の置き忘れ検知電極の平面図である。
【発明を実施するための形態】
【００２２】
本発明の実施形態について図面に沿って詳細に説明する。なお、本明細書において電界通信は、人体或いは物の表面に送信信号に応じた電界を誘導させ、該誘導された電界を検知することで、信号を人体或いは物を介在させて通信可能な通信システムを示す。図１には、本実施形態におけるキーレスエントリー装置の概要図を示している。この図に示すように、本実施形態におけるキーレスエントリー装置は、車両１に設けられる車両側装置２と、使用者が携帯する携帯機３との間で人体を介した電界通信を行い、ＩＤの認証を行ってドア１ａの施錠、解錠や置き忘れの報知などの動作をなすものである。また、車両１は後部にトランクルーム５を有しており、その上面及び背面を構成するように開閉自在な遮蔽体となるトランクドア６を有している。
【００２３】
図２には、携帯機３の斜視図を示している。この図に示すように、携帯機３は全体が薄型の箱状に形成され、側部には電源スイッチ２１が設けられている。また、携帯機３の表面には、図中ハッチングで示す領域に携帯機電極２２が配置されている。この携帯機電極２２と人体とが接触または近接した状態の場合には、携帯機電極２２から人体に電界を誘起することができ、この人体に誘起された電界を車両１側で検出することにより、携帯機３は車両側装置２と人体を介した通信を行うことができる。
【００２４】
なお、携帯機電極２２の配置については図２に示すものには限られず、配置する領域及び大きさは適宜設定することができる。また、携帯機電極２２は、表面に露出するように配置してもよいし、人体に電界を誘起できる範囲で携帯機３の表面近傍となる内面側に設けるようにしてもよい。
【００２５】
図３は、ドア１ａの外側に設けられるドアハンドル１ｂについて模式的に示した図である。この図に示すように、車外側のドアハンドル１ｂは、ドア１ａの外面に引き手状に設けられており、ドア１ａを開く場合、使用者はドアハンドル１ｂを掴んで手前側に引くように操作し、ドア１ａを閉じる場合、使用者はドアハンドル１ｂの外面側を押すように操作する。
【００２６】
ドアハンドル１ｂの内面側には、その表面近傍に解錠用電極１５が設けられており、またドアハンドル１ｂの外面側には、その表面近傍に施錠用電極１６が設けられている。これら解錠用電極１５と施錠用電極１６が、携帯機３との電界通信によりドア１ａの開閉を行うための車両側電極である。ドア１ａを車外から開くように携帯機３を携帯した使用者がドアハンドル１ｂを操作すると、使用者はドアハンドル１ｂの内面側を掴んでそれを引くように操作するので、携帯機３の携帯機電極２２によって人体に誘起された電界を、解錠用電極１５で検出することができ、車両側装置２において認証が成立するとドア１ａを解錠する。
【００２７】
一方、ドア１ａを閉じるように携帯機３を携帯した使用者がドアハンドル１ｂを操作すると、使用者はドアハンドル１ｂの外面側を押圧するように操作するので、携帯機３の携帯機電極２２によって人体に誘起された電界を、施錠用電極１６で検出することができ、車両側装置２において認証が成立してさらにドア１ａが閉められると、ドア１ａを施錠する。なお、この場合、解錠用電極１５と施錠用電極１６のどちらに近接してドアハンドル１ｂに接触したかを条件として、ドア１ａの施錠、解錠をするようにしているが、これらを共用の電極とし、施錠されている場合には解錠とし、解錠されている状態でドア１ａが閉められた場合には施錠する等のいろいろな方法で行なうことができる。
【００２８】
本実施形態においては、車両１のトランクルーム５における携帯機３の置き忘れを検知するため、トランクルーム５内に電極が配置される。図４には、トランクルーム５内部の斜視図を示している。この図に示すように、トランクルーム５の床面５ａには、置き忘れ検知電極１２が埋設配置される。
【００２９】
置き忘れ検知電極１２は、トランクルーム５の床面５ａに設けられる誘電体シート３０内に埋設されている。誘電体シート３０は、略方形状をなすように形成されたシート状の合成樹脂材からなり、誘電体としての性質を有すると共に、可堯性を有しており、トランクルーム５の形状に合わせて撓むことができるように形成されている。
【００３０】
図５には、誘電体シート３０の平面図を示している。この図に示すように、誘電体シート３０内の置き忘れ検知電極１２は、誘電体シート３０の対向する二辺にそれぞれ沿うように伸びる二本の周縁構成部１２ａと、これら周縁構成部１２ａを中間部において連結する連結部１２ｂとで、略Ｈ字状をなすように形成されている。置き忘れ検知電極１２が、このような平面形状を有して構成されていることにより、携帯機３がトランクルーム５のどの位置にあっても、一定以下の距離で携帯機３の携帯機電極２２と対向することができる。したがって、置き忘れ検知電極１２により、トランクルーム５内に置き忘れられた携帯機３との電界通信を行うことが可能である。
【００３１】
図６には、誘電体シート３０とトランクルーム５の床面５ａとの概念的な断面図を示している。この図に示すように、置き忘れ検知電極１２は、車体面１ｃと対向して載置される誘電体シート３０の厚み方向における上面側に偏って配置される。すなわち、置き忘れ検知電極１２と誘電体シート３０の上面との間の厚みより、置き忘れ検知電極１２と誘電体シート３０の床面５ａ側となる下面との間の厚みが大きくなるように形成されている。これにより、携帯機３がトランクルーム５内に置き忘れられていた場合に、置き忘れ検知電極１２と携帯機３との容量結合を強くし、かつ置き忘れ検知電極１２と車体との容量結合を弱くして、より確実な検出ができるようにしている。
【００３２】
図７には、本実施形態におけるキーレスエントリー装置のブロック図を示している。この図に示すように、車両１に設けられる車両側装置２は、各種制御を行う車両側制御部１０と、車両側制御部１０で用いるデータを記憶するメモリ１１と、前述した置き忘れ検知電極１２と解錠用電極１５及び施錠用電極１６と、トランクドア６の開閉状態を検知して車両側制御部１０に通知する検知部１３と、ドア１ａ及びトランクドア６の施錠、解錠動作を行う施錠解錠機構１４と、携帯機３を車内に置き忘れたまま降車した場合に報知動作する報知手段１７とを備えている。
【００３３】
一方、携帯機３は、所定ビットからなるＩＤの保管と各種制御と出力する信号の変調を行う携帯機制御部２０と電源スイッチ２１、携帯機電極２２及び電源２３を備えており、携帯用電極２２には前記ＩＤを示す信号を変調した信号が、常時、繰り返し出力されている。
【００３４】
車両側制御部１０は、データを一時的に記憶する記憶手段１０ｃと、携帯機３からの信号についての認証と、携帯機３が車内に置き忘れられているか否かの判別とを行う判定部１０ａと、各電極における電界検出に基づき信号を復調し、これを記憶手段１０ｃに記憶させる入力部１０ｂとを備えている。また、車両側制御部１０は解錠用電極１５及び施錠用電極１６からの信号を常時受信可能な状態となっている。
【００３５】
車両側装置２に設けられるメモリ１１は、当該車両１用の携帯機３が固有に有するＩＤを記憶している。車両側制御部１０の判定部１０ａは、記憶手段１０ｃに一時的に記憶された信号に含まれるＩＤとメモリ１１に記憶されたＩＤとを照合し、これらが一致すれば認証されたものと判定し、一致しなければ認証されなかったものと判定する。
【００３６】
検知部１３は、トランクドア６の開閉状態を検出するものであって、スイッチによって構成される。検知部１３によってトランクドア６が開いたことが検知された場合に、車両側制御部１０の判定部１０ａは、携帯機３の車内置き忘れの有無を判別する。また、報知手段１７は、車両側制御部１０によって制御され、報知動作の際には音声を発生して携帯機３を車内に置き忘れていることを報知する。
【００３７】
次に、携帯機３の置き忘れの有無を検知するフローについて説明する。図８には、携帯機３の置き忘れを検知するためのフローチャートを示している。このフローは、車両１のトランクドア６が開かれたことを、検知部１３が検出することによって開始される（Ｓ１）。
【００３８】
車両側制御部１０は、検知部１３からトランクドア６が開かれたことを通知されたら、トランクドア６が再び閉められるまで待機する（Ｓ２）。トランクドア６が閉められたことを検知部１３から通知されると、車両側制御部１０はトランクルーム５内の置き忘れ検知電極１２から携帯機３に対する信号送信を試みる（Ｓ３）。
【００３９】
携帯機３がトランクルーム５内に置き忘れられていた場合には、置き忘れ検知電極１２からの信号は電界通信によって誘電体シート１９を介し携帯機３に受信される。置き忘れ検知電極１２からの信号を受信した携帯機３の携帯機制御部２０は、所定の信号を携帯機電極２２から送信し、この信号は電界通信によって誘電体シート１９を介し置き忘れ検知電極１２で検出され、車両側装置２に受信される。一方、携帯機３がトランクルーム５内に置き忘れられていない場合には、当然通信は成立せず、携帯機３からの信号を車両側装置２が受信することもない。
【００４０】
車両側制御部１０は、置き忘れ検知電極１２から信号の送信を行ったら、携帯機３からの信号受信の有無を検出する（Ｓ４）。携帯機３からの信号を受信していない場合には、所定時間が経過するまで信号受信の有無検出を繰り返す（Ｓ５）。所定時間が経過しても携帯機３からの信号を受信しない場合には、トランクルーム５に対する携帯機３の置き忘れは生じていないものとして、車両側制御部１０は施錠解錠機構１４を制御してトランクドア６を施錠動作させる（Ｓ６）。
【００４１】
Ｓ４において携帯機３からの信号を車両側装置２が受信した場合、車両側制御部１０は信号の認証を行う（Ｓ７）。認証が成立した場合には、トランクルーム５に携帯機３が置き忘れられているものとして、車両側制御部１０は施錠解錠機構１４を制御してトランクドア６を開動作させると共に、報知手段１７を制御して報知動作させる（Ｓ８）。これにより、使用者はトランクルーム５に携帯機３を置き忘れたことを認識することができ、またトランクドア６の施錠もされないので、携帯機３を置き忘れたトランクルーム５から確実に取り出すことができる。
【００４２】
Ｓ７において携帯機３からの信号が認証されなかった場合には、トランクルーム５に対する携帯機３の置き忘れは生じていないものとして、車両側制御部１０は施錠解錠機構１４を制御してトランクドア６を施錠動作させる（Ｓ６）。
【００４３】
このように、トランクルーム５の床面５ａに置き忘れ検知電極１２を有した誘電体シート３０を配置し、トランクドア６を閉めたときに置き忘れ検知電極１２からの通信を試みて、通信が成立した場合にはトランクルーム５内に携帯機３を置き忘れているものとして、所定の動作を行うようにしたことで、降車動作を伴わないトランクドア６の開閉においても、携帯機３の車内への置き忘れを検知することができる。
【００４４】
本実施形態では、置き忘れ検知電極１２を図５に示すような態様として誘電体シート３０内に埋設しているが、置き忘れ検知電極１２の態様はこれには限られない。図９には、第２の形態の置き忘れ検知電極１２の平面図を示している。図５の形態において置き忘れ検知電極１２はトランクルーム５の床面５ａにおいて広い範囲に渡るように形成されているが、図５に示すように置き忘れ検知電極１２を、トランクルーム５の床面５ａの中央部分にのみ配置するようにしてもよい。この場合には、図５の場合に比べて携帯機３の検知能力は劣るものの、簡易な構成で低コスト化を図ることができる。
【００４５】
図１０には、第３の形態の置き忘れ検知電極１２の平面図を示している。第３の形態において置き忘れ検知電極１２は、誘電体シート３０の一辺に沿って伸びる周縁構成部１２ａと、周縁構成部から所定間隔おきに周縁構成部１２ａが伸びる方向と直交する方向に向かって伸びる複数の延出部１２ｃとによって、全体としてフォーク状をなすように形成されている。置き忘れ検知電極１２が、このような形状を有していることにより、携帯機３がトランクルーム５のどの位置にあっても、確実な通信を行うことができる。なお、図１０では置き忘れ検知電極１２の延出部１２ｃが周縁構成部１２ａと直交する方向に伸びているが、延出部１２ｃは周縁構成部１２ａが伸びる方向と異なる任意の方向に伸びるように形成することができる。
【００４６】
図１１には、第４の形態の置き忘れ検知電極１２の平面図を示している。第４の形態において置き忘れ検知電極１２は、誘電体シート３０の四辺にそれぞれ沿う四方向の周縁構成部１２ａによって、全体として枠形状をなすように形成されている。このような形状によっても、携帯機３がトランクルーム５内においてどの位置にあっても、確実な通信を行うことができる。
【００４７】
携帯機３の置き忘れを検知するための通信方法は、別の態様としてもよい。図８のフローでは、トランクドア６の開閉について、携帯機３の置き忘れが生じていないときには、トランクドア６を閉めたときに自動的に施錠動作を行うこととしているが、トランクドア６を閉める動作とは別に、施錠動作を行うための操作部を有している場合、車両側制御部１０は、トランクドア６が閉じられたときに置き忘れ検知電極１２から携帯機３に対する通信を試み、通信成立の有無を記憶しておいて、操作部により施錠動作の操作がなされたときに、記憶された通信成立の有無に基づき所定動作を行うようにしてもよい。また、車両側制御部１０が、トランクドア６が閉じられたときに置き忘れ検知電極１２から携帯機３に対する通信を試み、通信成立の有無を記憶しておき、所定時間の経過後において、記憶された通信成立の有無に基づき所定動作を行うようにしてもよい。
【００４８】
この場合において、車両側制御部１０が行わせる所定動作は、トランクドア６が閉じられたときに通信が成立しなかった場合には施錠動作を行わせ、トランクドア６が閉じられたときに通信が成立した場合には、施錠動作は行わせないと共に、報知手段１７による報知動作を行わせる。
【００４９】
また、図８のフローでは、トランクドア６が閉じられたことを検知部１３が検知したことで、車両側制御部１０が置き忘れ検知電極１２から携帯機３に対する通信を試みることとしているが、車両側制御部１０がトランクドア６の開閉とは関係なく常時間欠的に置き忘れ検知電極１２からの通信を試み、携帯機３との通信が成立した状態のままトランクドア６が閉じられたことを検知部１３が検知したときに、置き忘れが生じたとして所定動作を行うようにしてもよい。
【００５０】
本実施形態では、トランクルーム５内に置き忘れ検知電極１２を配置して、トランクルーム５に携帯機３の置き忘れがないか否かを検出することとしたが、本発明はトランクルーム５以外の車両内における携帯機３の置き忘れを検知するように構成することもできる。この場合には、例えば車両１のシート内に置き忘れ検知電極１２を配置し、ドア１ａの開閉を検知部１３で検知して、図８と同様のフローにより車内への携帯機３の置き忘れを検出し、所定の動作を行わせることができる。
【００５１】
また、車両のシートに置き忘れ検知電極１２を配置する場合、シートの表面を覆う布材に金属糸を編み込んで、この金属糸を置き忘れ検知電極１２として使用することもできる。
【００５２】
以上、本発明の実施形態について説明したが、本発明の適用は本実施形態には限られず、その技術的思想の範囲内において様々に適用されうるものである。例えば、本実施形態において誘電体シート３０は合成樹脂により形成したが、空気よりも誘電率の高い材料であれば、その他の材料により形成してもよい。また、本実施形態において置き忘れ検知電極１２は誘電体シート３０に埋設し該誘電体シート３０をトランクルーム５の床面５ａに配置する態様としているが、置き忘れ検知電極１２をトランクルーム５の床面５ａに直接露出するように配置してもよいし、また置き忘れ検知電極１２をトランクルーム５の床面５ａに直接埋設してもよいし、さらには置き忘れ検知電極１２を誘電体シート３０の表面に配設し該誘電体シート３０をトランクルーム５の床面５ａに配置するようにしてもよい。
【符号の説明】
【００５３】
１    車両
１ａ  ドア
１ｂ  ドアハンドル
２    車両側装置
３    携帯機
４    人体
５    トランクルーム
５ａ  床面
６    トランクドア
１０    車両側制御部
１１    メモリ
１２    置き忘れ検知電極
１３    検知部
１４    施錠解錠機構
１５    解錠用電極
１６    施錠用電極
１７    報知手段
２０    携帯機制御部
２１    電源スイッチ
２２    携帯機電極
２３    電源
３０    誘電体シート
【図１】
2011001711.tif 000003
【図２】
2011001711.tif 000004
【図３】
2011001711.tif 000005
【図４】
2011001711.tif 000006
【図５】
2011001711.tif 000007
【図６】
2011001711.tif 000008
【図７】
2011001711.tif 000009
【図８】
2011001711.tif 000010
【図９】
2011001711.tif 000011
【図１０】
2011001711.tif 000012
【図１１】
2011001711.tif 000013